【手続補正書】
【提出日】平成18年3月20日(2006.3.20)
【手続補正１】
【補正対象書類名】明細書
【補正対象項目名】特許請求の範囲
【補正方法】変更
【補正の内容】
【特許請求の範囲】
【請求項１】
ネットワーク上のフローに対しサービス品質を割り当てるコンピュータ実装式の方法であって、
ｉ）前記ネットワーク上の前記フローに関連したエンティティの新たなインスタンスを検出するステップであって、前記フローはこれに関連して、前記エンティティに割り当てた少なくとも１つのパラメータを有する、前記のステップと、
ｉｉ）前記フローと前記エンティティとの間のフロー−エンティティ・バインディングを、前記フローの前記少なくとも１つのパラメータに基づいて判定するステップと、
ｉｉｉ）前記フロー−エンティティ・バインディングを使用して、前記エンティティに対するサービス品質定義にアクセスするステップであって、該サービス品質定義は、前記ネットワークのディレクトリ・サービス内に保持されており、かつ前記フローに対する少なくとも１つのコンフィギュレーション・ルールを含み、これにおいて前記サービス品質定義が前記フローを前記サービス品質にバインディングする、前記のステップと、
ｉｖ）前記サービス品質定義により識別した前記少なくとも１つのコンフィギュレーション・ルールを前記フローに対し動的に適用するステップと、
を備えたサービス品質割当方法。
【請求項２】
請求項１記載の方法において、前記ステップ（ｉ）は、前記ネットワーク上の前記フローに関連した前記エンティティの前記新たなインスタンスを表すフロー・イベントに応答すること、を含むサービス品質割当方法。
【請求項３】
請求項２記載の方法において、前記ステップ（ｉ）は、前記フローの少なくとも１つの前記パラメータを少なくとも１つのコンフィギュレーション・ルールと比較し、前記フローの前記少なくとも１つのパラメータが特定のコンフィギュレーション・ルールと一致する場合に前記フローに関連した前記エンティティの前記新たなインスタンスを識別すること、を含むサービス品質割当方法。
【請求項４】
請求項３記載の方法において、前記ステップ（ｉ）は、前記フローの少なくとも１つの前記パラメータを少なくとも１つのコンフィギュレーション・ルールと比較し、前記フローの前記少なくとも１つのパラメータがデフォルトのコンフィギュレーション・ルールと一致する場合に前記フローに関連した前記エンティティの前記新たなインスタンスを識別すること、を含むサービス品質割当方法。
【請求項５】
請求項１記載の方法において、前記ステップ（ｉ）は、前記ネットワーク上の前記フローに関連した前記エンティティの前記新たなインスタンスを表すディレクトリ・イベントに応答すること、を含むサービス品質割当方法。
【請求項６】
請求項１記載の方法において、前記フローの少なくとも１つの前記パラメータは、プロトコル・ヘッダから抽出した動的割当したパラメータである、サービス品質割当方法。
【請求項７】
請求項１記載の方法において、前記ステップ（ｉｉ）は、
前記フロー−エンティティ・バインディングに対応するサービス品質識別を検索するステップであって、前記サービス品質識別は、前記ディレクトリ・サービスのディレクトリ内の前記エンティティに対するエントリ内に維持する、前記のステップ、
を含む、サービス品質割当方法。
【請求項８】
請求項７記載の方法において、前記ステップ（ｉｉｉ）は、
前記サービス品質識別を使用して、前記サービス品質定義を検索するステップであって、前記サービス品質定義は、前記ディレクトリ・サービスのディレクトリ内の前記サービス品質定義に対するエントリ内に維持する、前記のステップ、
を含む、サービス品質割当方法。
【請求項９】
請求項１記載の方法において、少なくとも１つの前記コンフィギュレーション・ルールは、１つの前記エンティティに対するディレクトリ・エントリ内の少なくとも１つの動的に可変のフロー・パラメータに対するリンクを含む、サービス品質割当方法。
【請求項１０】
請求項１記載の方法において、前記ステップ（ｉ）−（ｉｖ）のうちの少なくとも１つは、前記ディレクトリ・サービスとは別個のネットワーク要素において実行し、前記ネットワーク要素と前記ディレクトリ・サービスとの間の通信は、軽量ディレクトリ・アクセス・プロトコルＬＤＡＰの下にある、サービス品質割当方法。
【請求項１１】
請求項１０記載の方法であって、さらに、前記フロー−エンティティ・バインディングに対応する少なくとも１つのサービス品質識別に対して、前記ネットワーク要素内にローカル・キャッシュを維持するステップを含み、前記ステップ（ｉｉ）は、
前記サービス品質識別をこれが存在する場合に検索するため、前記キャッシュに最初にアクセスし、そしてこれがない場合には前記サービス品質識別を検索するため、前記ディレクトリ・サービスにアクセスするステップ、
を含む、サービス品質割当方法。
【請求項１２】
請求項１０記載の方法であって、さらに、少なくとも１つの前記サービス品質定義に対して、前記ネットワーク要素内にローカル・キャッシュを維持するステップを含み、前記ステップ（ｉｉｉ）は、
前記サービス品質定義をこれが存在する場合に検索するため、前記キャッシュに最初にアクセスし、そしてこれがない場合には前記サービス品質識別を検索するため、前記ディレクトリ・サービスにアクセスするステップ、
を含む、サービス品質割当方法。
【請求項１３】
ネットワーク上のフローに対しサービス品質を割り当てるサービス品質機構であって、
前記ネットワーク上の前記フローに関連したエンティティの新たなインスタンスの検出に応答して、前記フローの少なくとも１つのパラメータに基づいて前記フローと前記エンティティとの間のフロー−エンティティ・バインディングを判定するように構成したコントローラであって、前記少なくとも１つのパラメータが前記エンティティと関連している、前記のコントローラと、
前記フロー−エンティティ・バインディングを使用して前記エンティティに対するサービス品質定義にアクセスするように構成したディレクトリ・インターフェースであって、前記サービス品質定義は、前記ネットワークのディレクトリ・サービス内に維持し、かつ前記フローに対する少なくとも１つのコンフィギュレーション・ルールを含み、これにおいて、前記サービス品質定義は、前記フローを前記サービス品質とバインディングする、前記のディレクトリ・インターフェースと、
を含み、
前記コントローラは、さらに、前記サービス品質定義により識別した前記少なくとも１つのコンフィギュレーション・ルールを前記フローに対し動的に適用するため動作可能となるように構成した、
サービス品質機構。
【請求項１４】
請求項１３記載の機構において、前記コントローラは、前記ネットワーク上の前記フローに関連した前記エンティティの前記新たなインスタンスを表すフロー・イベントに応答するように構成した、サービス品質機構。
【請求項１５】
請求項１４記載の機構において、前記コントローラは、前記フローの少なくとも１つの前記パラメータを少なくとも１つのコンフィギュレーション・ルールと比較し、前記フローの前記少なくとも１つのパラメータが特定のコンフィギュレーション・ルールと一致する場合に前記フローに関連したエンティティの前記新たなインスタンスを識別するよう動作可能であるように、さらに構成した、サービス品質機構。
【請求項１６】
請求項１５記載の機構において、前記コントローラは、前記フローの少なくとも１つのパラメータを少なくとも１つのコンフィギュレーション・ルールと比較し、前記フローの前記少なくとも１つのパラメータがデフォルトのコンフィギュレーション・ルールと一致する場合に前記フローに関連したエンティティの前記新たなインスタンスを識別するように動作可能であるように、さらに構成した、サービス品質機構。
【請求項１７】
請求項１３記載の機構において、前記コントローラは、前記ネットワーク上の前記フローに関連した前記エンティティの前記新たなインスタンスを表すディレクトリ・イベントに応答するように構成した、サービス品質機構。
【請求項１８】
請求項１３記載の機構において、前記フローの少なくとも１つの前記パラメータは、プロトコル・ヘッダから抽出した少なくとも１つの動的割当したパラメータを含む、サービス品質機構。
【請求項１９】
請求項１３記載の機構において、前記ディレクトリ・インターフェースは、また、前記フロー−エンティティ・バインディングに対応するサービス品質識別を検索するように構成し、前記サービス品質識別は、前記ディレクトリ・サービスのディレクトリ内の前記エンティティに対するエントリ内に維持する、サービス品質機構。
【請求項２０】
請求項１９記載の機構であって、少なくとも１つの前記サービス品質識別に対するキャッシュを含む、サービス品質機構。
【請求項２１】
請求項２０記載の機構において、前記ディレクトリ・インターフェースは、前記サービス品質識別をこれが存在する場合に検索するため、前記キャッシュに最初にアクセスし、そしてこれがない場合には前記サービス品質識別を検索するため、前記ディレクトリ・サービスにアクセスするよう動作可能である、サービス品質機構。
【請求項２２】
請求項１３記載の機構であって、少なくとも１つの前記サービス品質定義に対するキャッシュを含む、サービス品質機構。
【請求項２３】
請求項２２記載の機構であって、前記ディレクトリ・インターフェースは、前記サービス品質定義をこれが存在する場合に検索するため、前記キャッシュに最初にアクセスし、そしてこれがない場合には前記サービス品質定義を検索するため、前記ディレクトリ・サービスにアクセスするように動作可能である、サービス品質機構。
【請求項２４】
請求項１３記載の機構において、少なくとも１つの前記コンフィギュレーション・ルールは、１つの前記エンティティに対するディレクトリ・エントリ内の少なくとも１つの動的に可変のフロー・パラメータに対するリンクを含む、サービス品質機構。
【請求項２５】
請求項１３記載の機構において、前記ディレクトリ・インターフェースは、軽量ディレクトリ・アクセス・プロトコルＬＤＡＰの下で前記ディレクトリ・サービスと通信するように構成された、サービス品質機構。
【請求項２６】
ネットワーク上のフローに対しサービス品質を割り当てるよう動作可能なサービス品質機構を含むネットワーク要素であって、前記サービス品質機構が、
前記ネットワーク上の前記フローに関連したエンティティの新たなインスタンスの検出に応答して、前記フローの少なくとも１つのパラメータに基づいて前記フローと前記エンティティとの間のフロー−エンティティ・バインディングを判定するように構成したコントローラであって、前記少なくとも１つのパラメータが前記エンティティに関連している、前記のコントローラと、
前記フロー−エンティティ・バインディングを使用して前記エンティティに対するサービス品質定義にアクセスするように構成したディレクトリ・インターフェースであって、前記サービス品質定義は、前記ネットワークのディレクトリ・サービス内に維持し、かつ前記フローに対する少なくとも１つのコンフィギュレーション・ルールを含み、これにおいて、前記サービス品質定義は、前記フローを前記サービス品質とバインディングする、前記のディレクトリ・インターフェースと、
を含み、
前記コントローラは、さらに、前記サービス品質定義により識別した前記少なくとも１つのコンフィギュレーション・ルールを前記フローに対し動的に適用するため動作可能となるように構成した、
ネットワーク要素。
【請求項２７】
コンピュータ・ネットワークのためのサービス品質サーバであって、該サービス品質サーバが、ネットワーク上のフローに対しサービス品質を割り当てるよう動作可能なサービス品質機構を含み、該サービス品質機構が、
前記ネットワーク上の前記フローに関連したエンティティの新たなインスタンスの検出に応答して、前記フローの少なくとも１つのパラメータに基づいて前記フローと前記エンティティとの間のフロー−エンティティ・バインディングを判定するように構成したコントローラであって、前記少なくとも１つのパラメータが前記エンティティと関連している、前記のコントローラと、
前記フロー−エンティティ・バインディングを使用して前記エンティティに対するサービス品質定義にアクセスするように構成したディレクトリ・インターフェースであって、前記サービス品質定義は、前記ネットワークのディレクトリ・サービス内に維持し、かつ前記フローに対する少なくとも１つのコンフィギュレーション・ルールを含み、これにおいて、前記サービス品質定義は、前記フローを前記サービス品質とバインディングする、前記のディレクトリ・インターフェースと、
を含み、
前記コントローラは、さらに、前記サービス品質定義により識別した前記少なくとも１つのコンフィギュレーション・ルールを前記フローに対し動的に適用するため動作可能となるように構成した、
サービス品質サーバ。
【請求項２８】
ネットワーク上のフローに対しサービス品質を割り当てるよう動作可能なサービス品質システムであって、
前記ネットワーク上の前記フローに関連したエンティティの新たなインスタンスを検出するための手段であって、前記フローはこれに関連して、前記エンティティに割り当てた少なくとも１つのパラメータを有する、前記の手段と、
前記フローの前記少なくとも１つのパラメータに基づいて、前記フローと前記エンティティとの間のフロー−エンティティ・バインディングを判定するための手段と、
前記フロー−エンティティ・バインディングを使用して前記エンティティに対するサービス品質定義にアクセスするための手段であって、前記サービス品質定義は、前記ネットワークのディレクトリ・サービス内に維持し、かつ前記フローに対する少なくとも１つのコンフィギュレーション・ルールを含み、これにおいて、前記サービス品質定義が、前記フローを前記サービス品質とバインディングする、前記の手段と、
前記サービス品質定義により識別した少なくとも１つのコンフィギュレーション・ルールを前記フローに対し動的に適用するための手段と、
を備えたサービス品質システム。
【請求項２９】
記憶媒体上のサービス品質ソフトウェア製品であって、該ソフトウェア製品がネットワーク上のフローに対しサービス品質を割り当てるよう動作可能であり、かつ
前記ネットワーク上の前記フローに関連したエンティティの新たなインスタンスを検出し、前記フローはこれに関連して、前記エンティティに割り当てた少なくとも１つのパラメータを有し、
前記フローの前記少なくとも１つのパラメータに基づいて、前記フローと前記エンティティとの間のフロー−エンティティ・バインディングを判定し、
前記フロー−エンティティ・バインディングを使用して前記エンティティに対するサービス品質定義にアクセスし、前記サービス品質定義が、前記ネットワークのディレクトリ・サービス内に維持し、かつ前記フローに対する少なくとも１つのコンフィギュレーション・ルールを含み、これにより、前記サービス品質定義が、前記フローを前記サービス品質とバインディングし、
前記サービス品質定義により識別した前記少なくとも１つのコンフィギュレーション・ルールを前記フローに対し動的に適用する、
よう動作可能に構成した、サービス品質ソフトウェア製品。
【請求項３０】
請求項１記載の方法において、前記フローの前記少なくとも１つのパラメータは、ＩＰアドレスを含む、サービス品質割当方法。
【請求項３１】
請求項１記載の方法において、前記フローの前記少なくとも１つのパラメータは、ポートを識別するポート識別子を含む、サービス品質割当方法。
【請求項３２】
請求項１３記載の機構において、前記フローの前記少なくとも１つのパラメータは、ネットワーク・アドレスを含む、サービス品質機構。
【請求項３３】
請求項１３記載の機構において、前記フローの前記少なくとも１つのパラメータは、ポートを識別するポート識別子を含む、サービス品質機構。
【請求項３４】
請求項２６記載のネットワーク要素において、前記フローの前記少なくとも１つのパラメータは、前記エンティティに割り当てたネットワーク・アドレスを含む、ネットワーク要素。
【請求項３５】
請求項２６記載のネットワーク要素において、前記フローの前記少なくとも１つのパラメータは、前記エンティティに割り当てたポートを識別するポート識別子を含む、ネットワーク要素。